(57)【特許請求の範囲】
【請求項１】
互いに直列、並列又は直列及び並列混合方式で連結された多数の単位モジュールからなる燃料電池自動車用小型燃料改質器であって、
前記各単位モジュールは、上側壁及び底壁を有する円筒形の内側ハウジングと、
前記内側ハウジングの周囲に離隔して配置される外側ハウジングと、
前記内側ハウジング内に設けられる水素分離反応室と、
前記内側及び外側ハウジング間に設けられ、前記内側ハウジングに必要な熱を供給するための燃焼触媒を収容する燃焼触媒室と、
前記内側ハウジングの上側壁に設けられ、液体燃料を前記水素分離反応室に流入させるための燃料流入口と、
前記水素分離反応室内に配置され、前記水素分離反応室に流入された燃料に含まれた水素を選択的に透過させて燃料から水素を分離させる多数の垂直方向に離隔した水素ガス分離セルと、
隣接した水素ガス分離セル間の水素分離反応室内に充填され、前記水素分離反応室に流入された燃料を改質させる水蒸気改質触媒と、
水素分離反応室内の中央に配置されて、前記水素ガス分離セルに連通されることから、水素ガス分離セルから排出される燃料から水素を分離し、隣接した水素ガス分離セル間に介在されて隣接した水素ガス分離セル間の隙間を提供する多数の垂直方向に離隔した中央支持円筒と、
前記内側ハウジングの底壁に連結され、中央支持円筒により設けられた水素移動通路に連通して、水素移動通路に流入された水素を水素移動通路から外部に排出させるパーミエート出口と、
前記内側ハウジングの底壁に設けられ、水素分離反応室から前記水素ガス分離セルを通して透過し得なかった燃料の一部を排出させる多数のラフィネート出口と、
前記ラフィネート出口に導管を介してそれぞれ連結されて、前記ラフィネート出口から排出された燃料を空気とともに前記燃焼触媒室に流入させて燃料を燃焼触媒室内で燃焼させる多数の燃焼燃料／空気流入口とを含み、
前記各水素ガス分離セルは、
燃料から水素を選択的に分離する一対の離隔した金属膜と、
前記金属膜間に介在されて両側面が金属膜に付着され、一部に少なくとも一つの燃料チャネルを有する支持板と、
前記支持板内部の金属膜間に介在されて、金属膜が高圧に耐え得るように構造的安定性を与えるもので、金属膜間に設けられた水素ガス分離セルの内部に水素を流入させるために通路を提供する多孔性分離膜構造を有する支持層と、
前記中央支持円筒と垂直方向に一致するように支持層の内部に配置されたもので、支持層により設けられた水素移動通路と中央支持円筒により設けられた水素移動通路に連通する少なくとも一つのパーミエート通路用径方向孔を有する中央支持円盤と
を含むことを特徴とする燃料電池自動車用小型燃料改質器。
【請求項２】
請求項１において、
前記水蒸気改質触媒はＣｕ、Ｚｎ、Ｆｅ、Ｃｒ、Ｔｉ、Ｎｉなどからなる群から選択される少なくとも１種の金属成分を含有するか、又は触媒の重量に対し少なくとも０．０１ｗｔ％の貴金属１種を含有することを特徴とする燃料電池自動車用小型燃料改質器。
【請求項３】
請求項１において、
前記各金属膜はパラジウム合金又はパラジウムでコーティングされた金属箔からなることを特徴とする燃料電池自動車用小型燃料改質器。
【請求項４】
請求項１において、
前記支持板と金属膜、そして中央支持円盤と金属膜はそれぞれ拡散溶接で接合されることを特徴とする燃料電池自動車用小型燃料改質器。
【請求項５】
請求項１において、
前記水素ガス分離セルは燃料チャネルがジグザグ状に位置するように前記水素分離反応室内に配置され、燃料と水蒸気改質触媒間の接触効率と改質ガスと金属膜間の接触効率を向上させることを特徴とする燃料電池自動車用小型燃料改質器。
【請求項６】
請求項１において、
前記各中央支持円筒は拡散溶接で水素ガス分離セルに接合されることを特徴とする燃料電池自動車用小型燃料改質器。
【請求項７】
液体燃料を予熱して気化させるための燃料予熱器と、
前記燃料予熱器で予熱された液体燃料を燃料供給ヘッダーを通して受け、燃料から水素を分離する多数の単位モジュールが連結されてなる燃料改質器と、
前記燃料改質器で分離された水素であるパーミエートをパーミエートヘッダーを通して受け、圧力を調節した後、燃料電池の陰極に供給するため、パーミエートヘッダー上に設けられた圧力調節装置と、
前記燃料改質器の水素分離反応室の圧力を調節するためのラフィネート圧力調節器と、
前記燃料改質器の燃焼触媒室に燃料を供給するための流路転換バルブとからなり、
前記燃料改質器が、請求項１乃至６のいずれか１項に記載の燃料電池自動車用小型燃料改質器であることを特徴とする燃料電池自動車用小型燃料改質システム。
【発明の詳細な説明】
【０００１】
発明の分野
本発明はメタノール、エタノール、アルコールなどを燃料として使用する燃料電池自動車に適用する金属薄膜を用いる小型燃料改質器に関するものである。特に、本発明は水素の混合された改質ガスのうち水素のみを選択的に透過させる金属膜の特性と非平衡状態で反応速度が増加する原理を用いて、水素発生のための水蒸気改質反応と水素分離のための分離反応が同一反応器内で同時に遂行される反応／分離一体型燃料改質器を採用して全体装置の大きさを縮小し得るようにした金属薄膜を用いる燃料電池自動車用小型燃料改質器及びそのシステムに関するものである。
【０００２】
従来技術の説明
一般に、軽油又は工業用燃料の気体と電解質間の化学反応の一部として電力を発生させて化学エネルギーを直接電気エネルギーに変換させる燃料電池システムは、宇宙船のように、内燃機関が実質的に活用できない分野又は電気自動車などに電力を供給するためのシステムとして使用されており、特に、近年には、大気汚染規制の強化及び蓄電池を用いる電気自動車開発の限界のため、その重要性がもう一層強く台頭している。
【０００３】
また、エネルギー効率と環境汚染問題に対する関心が日増しに高まるにつれて、燃料電池を用いる電気自動車が内燃機関自動車を実質的に代替し得ると予想されているが、このような燃料電池自動車が実質的に広く商業化されるためには、未だ解決すべき種々の技術的制限要素が残っている。そのなかでも、特に水素を燃料として使用する燃料電池自動車において、ガス状態の水素を使用する場合、水素燃料の運搬、貯蔵及び供給のためのインフラ（Infrastructure）構築による諸般問題が実質的に燃料電池自動車を幅広く活用するのに制限的な要素として作用している。
【０００４】
したがって、最近にはメタノール、エタノール及びガソリンなどの液体燃料を改質して水素を発生させ、この水素のみを分離して燃料電池の燃料として活用する燃料電池自動車用燃料改質器の開発が進められているが、このような燃料改質器が幅広く活用されるためには、より小型で軽量でありながらも負荷応答性に優れた燃料改質器の開発が必須であり、そのなかでも自動車への搭載ができるように燃料改質器を小型化及び軽量化することが最も重要である。
【０００５】
また、近来の燃料電池自動車には高分子電解質燃料電池（Solid Polymer Electrolyte Fuel Cell、以下ＳＰＥＦＣという）が使用されているが、このようなＳＰＥＦＣの場合、陰極（Anode）の燃料である水素中に含有された一酸化炭素（ＣＯ）により活性を易しく失ってしまう欠点を持っているため、ＣＯの濃度を最大限低めることも重要であると言える。
【０００６】
また、前述したガス状態の燃料使用による諸般問題点を解決するため、液体燃料を使用する燃料電池自動車の開発のために既存の水蒸気改質反応を活用した水素製造方法が全世界的に開発されているが、このような技術は、図１に示す燃料改質システムのように、水蒸気改質反応と水素分離反応が別個の反応器で進行されるため、全体燃料改質器システムを小型化するには問題がある。
【０００７】
例えば、米国特許第４，６１３，４３６号では、円形の水素分離膜を積層させ、それぞれの空間が遮断されるように気密突起を設置し、各水素分離膜の一面に改質された混合ガスを流して水素を分離した後、水素のみを捕集することにより、水素分離装置の大きさを減らそうとした。しかし、このような構造の水素分離装置は大量生産にあまり適しないだけでなく、固定部位の気密維持も難しい構造である。このような問題点を解決するため、米国特許第５，５３６，４０５号では、水素分離膜の積層の際に、中間にガスケットを介在させることにより、量産に適し、各水素分離層間の気密維持が容易であるようにした。しかし、ガスケット方式を適用するため、重量が大きくなる欠点がある。
【０００８】
一方、燃料改質装置の性能を向上させるため、米国特許第５，４５８，８５７号では、吸熱反応であるメタンの水蒸気改質による水素ガス発生法と、その反応のうち一酸化炭素と水蒸気が二酸化炭素と水素に転移される発熱反応である転移反応が別個の空間でなされるようにすることにより、燃料改質装置の効率向上による小型化を実現しようとしたが、転移反応のみの熱からは所要の熱を供給し難いし、装置の構造が非常に複雑になって実際的に効率が低下する可能性が高い。また、米国特許第５，７４１，４７４号では、発熱反応であるメタノールの部分酸化と吸熱反応である改質反応を一定の空間で同時に実施することで熱伝達を極大化させようとしたが、２反応をそれぞれ効率良く制御するのが難しくて、却って燃料改質装置の性能が低下する欠点がある。日本特許出願第１９９３−１４７９０２号では、メタノールと水を反応させて発生した水素の一部を燃料として再使用して、反応に必要な熱を供給することにより、燃料改質装置の性能向上と小型化を試みたが、初期加熱のためには依然として別の電気点火装置が必要であり、小型化に限界がある。
【０００９】
このように、前述した発明らは、改質装置と水素分離装置が別個に存在しなければならない既存の問題点を解決しなかったままでそれぞれ構造を改善して性能向上及び小型化を試みたため、性能と小型化に限界があった。
【００１０】
このような問題点を解決するため、米国特許第５，８８８，２７３号では、長いチューブ状の水素分離膜と水蒸気改質触媒を同一空間に位置させた後、水素ガスを分離し、水素、二酸化炭素、一酸化炭素、水蒸気などの混合された改質ガス中の一部を燃焼触媒が位置する別の場所に移動させて燃やすことにより、改質時に必要な熱を供給する構造の水素発生装置を開示している。しかし、このような水素発生装置は、初期点火が難しく、改質反応が開始するに必要な初期熱及び水素を透過させるのに必要な膜温度を維持するための熱を供給し得る加熱装置の熱伝導効率が非常に低下するように設計されている。これは、燃料電池自動車において、早い初期始動時間及び動的応答性に対する重大な欠点と認識される。また、複雑な構造及び長いチューブ状の水素分離膜の使用のため、自動車用のように量産が求められる工程には適しない。
【００１１】
発明の概要
したがって、本発明の目的は、燃料から水素のみを選択的に透過させる金属薄膜を採用することにより、ＳＰＥＦＣの陰極に供給される水素燃料中に含有された一酸化炭素（ＣＯ）の濃度を十分に低めて、一酸化炭素による陰極の被毒現象を著しく減らし得る小型燃料改質器を提供することである。
【００１２】
本発明の他の目的は、前記単位モジュールを直列、並列又は直列と並列の混合方式で連結して燃料電池自動車に必要な水素量を適切に供給し得る小型燃料改質器を提供することである。
【００１３】
本発明の更に他の目的は、液体燃料の改質反応と水素分離反応が図２のような同一反応器内でなされる単位モジュールを提供することにより、燃料電池自動車に容易に搭載できる小型化された燃料改質システムを提供することである。
【００１４】
このような目的を達成するため、本発明は、互いに直列、並列又は直列及び並列混合方式で連結された多数の単位モジュールからなる燃料電池自動車用小型燃料改質器であって、前記各単位モジュールは、上側壁及び底壁を有する円筒形の内側ハウジングと、前記内側ハウジングの周囲に離隔して配置される外側ハウジングと、前記内側ハウジング内に設けられる水素分離反応室と、前記内側及び外側ハウジング間に設けられ、前記内側ハウジングに必要な熱を供給するための燃焼触媒を収容する燃焼触媒室と、前記内側ハウジングの上側壁に設けられ、液体燃料を前記水素分離反応室に流入させるための燃料流入口と、前記水素分離反応室内に配置され、前記水素分離反応室に流入された燃料に含まれた水素を選択的に透過させて燃料から水素を分離させる多数の垂直方向に離隔した水素ガス分離セルと、隣接した水素ガス分離セル間の水素分離反応室内に充填され、前記水素分離反応室に流入された燃料を改質させる水蒸気改質触媒と、水素分離反応室内の中央に配置されて、前記水素ガス分離セルに連通されることから、水素ガス分離セルから排出される燃料から水素を分離し、隣接した水素ガス分離セル間に介在されて隣接した水素ガス分離セル間の隙間を提供する多数の垂直方向に離隔した中央支持円筒と、前記内側ハウジングの底壁に連結され、中央支持円筒により設けられた水素移動通路に連通して、水素移動通路に流入された水素を水素移動通路から外部に排出させるパーミエート出口と、前記内側ハウジングの底壁に設けられ、水素分離反応室から前記水素ガス分離セルを通して透過し得なかった燃料の一部を排出させる多数のラフィネート出口と、前記ラフィネート出口に導管を介してそれぞれ連結されて、前記ラフィネート出口から排出された燃料を空気とともに前記燃焼触媒室に流入させて燃料を燃焼触媒室内で燃焼させる多数の燃焼燃料／空気流入口とを含み、前記各水素ガス分離セルは、燃料から水素を選択的に分離する一対の離隔した金属膜と、前記金属膜間に介在されて両側面が金属膜に付着され、一部に少なくとも一つの燃料チャネルを有する支持板と、前記支持板内部の金属膜間に介在されて、金属膜が高圧に耐え得るように構造的安定性を与えるもので、金属膜間に設けられた水素ガス分離セルの内部に水素を流入させるために通路を提供する多孔性分離膜構造を有する支持層と、前記中央支持円筒と垂直方向に一致するように支持層の内部に配置されたもので、支持層により設けられた水素移動通路と中央支持円筒により設けられた水素移動通路に連通する少なくとも一つのパーミエート通路用径方向孔を有する中央支持円盤とを含む燃料電池自動車用小型燃料改質器を提供する。
【００１５】
また、本発明は、液体燃料を予熱して気化させるための燃料予熱器と、前記燃料予熱器で予熱された液体燃料を燃料供給ヘッダーを通して受け、燃料から水素を分離する多数の単位モジュールが連結されてなる燃料改質器と、前記燃料改質器で分離された水素であるパーミエートをパーミエートヘッダーを通して受け、圧力を調節した後、燃料電池の陰極に供給するため、パーミエートヘッダー上に設けられた圧力調節装置と、前記燃料改質器の水素分離反応室の圧力を調節するためのラフィネート圧力調節器と、前記燃料改質器の燃焼触媒室に燃料を供給するための流路転換バルブとからなり、前記燃料改質器が、請求項１乃至６のいずれか１項に記載の燃料電池自動車用小型燃料改質器である燃料電池自動車用小型燃料改質システムを提供する。
【００１６】
最良の実施例の説明
図３は本発明による燃料電池自動車用小型燃料改質器の単位モジュールの構造を示す概略図である。
【００１７】
本発明による燃料改質器はそれぞれ多数の単位モジュールが直列、並列又は直列及び並列の混合方式で連結されてなされ、前記単位モジュール１は、メタノール、エタノール又はアルコールなどの液体燃料が流入される燃料流入口１７が上部に設けられ、前記燃料流入口１７を通して流入された燃料を改質させるための水蒸気改質触媒３と改質ガスのなかの水素のみを選択的に透過させて分離する多数の水素ガス分離セル４が水素分離反応室７に内蔵され、前記水素分離反応室７は水素分離反応室ハウジング８に収容される。また、前記水素ガス分離セル４間の間隔を調節し、燃料から分離された水素の移動通路を提供する中央支持円筒６が前記水素ガス分離セル４間に拡散溶接で連結される。
【００１８】
前記水素分離反応室ハウジング８の外周には、水素分離反応室７に必要な熱を伝達する燃焼触媒５が内蔵された燃焼触媒室９が設けられ、この燃焼触媒室９は燃焼触媒室ハウジング１０に収容される。
【００１９】
前記水素分離反応室７に設けられた水素ガス分離セル４により分離された水素が流れるようにしたパーミエート出口２５が単位モジュール１の下部から外部に延長され、水素ガス分離セル４を透過し得なかった改質ガスであるラフィネートが燃焼触媒室９に流れるよう、多数のラフィネート出口２６が水素分離反応室７の下端壁面に設けられる。また、前記燃焼触媒室９での燃料に必要な空気と燃料を供給する燃焼燃料／空気流入口（図示せず）が燃焼触媒室９の下端に設けられる。
【００２０】
前記水素ガス分離セル４の一側縁部には、燃料の流動のための一つ又は一つ以上の燃料通過用チャネル１３が形成される。
【００２１】
前記水素ガス分離セル４の構造を示す図４に基づいてより詳細に説明すると、水素ガス分離セル４は、水素のみを選択的に透過させるための一対の離隔した金属膜（metal film）１１、１１ａと、周縁部に一つ以上の垂直の燃料通過用チャネル１３が設けられている銅又は銅合金からなった円周状の支持板１２とからなる。支持板１２はその両側面が金属膜１１に付着されて金属膜１１、１１ａを支持することになる。水素ガス分離セル４は金属膜１１を通して透過された水素の通路を提供するとともに水素ガス分離セル４の構造的安定性を維持する作用をする支持層（多孔性分離膜）１４を含む。また、銅又は銅合金からなった中央支持円盤１５が設けられる。中央支持円盤１５には中央孔と少なくとも一つのパーミエート通路用孔１６が設けられる。パーミエート通路用孔１６は中央支持円盤１５の径方向に延長されるとともに金属膜１１、１１ａを通してパーミエートされた水素が通過するように中央支持円盤１５に形成された中央孔に連通される。また、中央孔は中央支持円筒６により形成された水素通路に連通される。
【００２２】
また、前記水蒸気改質触媒３が金属膜１１と直接に接触することにより水素分離性能が低下することを防止するため、水蒸気改質触媒３と金属膜１１との間には支持層１４を設けているが、この支持層は多孔性分離膜から構成することが好ましい。
【００２３】
このような構成を有する水素ガス分離セル４において、前記水蒸気改質触媒３により燃料が改質されて発生した改質ガスのうち、水素は金属膜１１の外側面に吸着されて分離され、このように分離された水素原子は金属膜１１を透過した後、金属１１の内側面で再び結合されて水素分子となり、中央支持円盤１５のパーミエート通路用孔１６を通してパーミエート出口２５に排出される。
【００２４】
このような水素の選択的分離反応において、金属膜１１の外側面と内側面の圧力差が大きくなるほど、かつ金属膜１１の表面温度が高くなるほど、透過性能が増大することになる。更に、透過性能をよりよくするためには、金属膜１１の表面をきれいに維持することが必要であり、これに使用される金属膜１１としては、Ｐｄ−Ｃｕ系合金又はＰｄ−Ａｇ系合金などのように、いろいろの金属合金のうち、パラジウムを含有しているパラジウム系金属膜及びバナジウム（Ｖ）、ニッケル（Ｎｉ）又はこれらの合金にパラジウムをコーティングして製造した金属膜（又は金属箔）からなる。
【００２５】
また、水蒸気改質触媒３としては、Ｃｕ−Ｚｎ系を基材とする水蒸気改質用触媒及びＰｔなどの貴金属類を少なくとも０．０１ｗｔ％以上含有している水蒸気改質用触媒のいずれをも使用できる。
【００２６】
また、燃料改質器の各単位モジュール１の水素生産容量は、水素ガス分離セル４に設けられる金属膜１１の表面積と充填される水蒸気改質触媒３の量によって自由に変更できるので、モジュールの容量を自由に調節することができ、充填される水蒸気改質触媒３の量は前記中央支持円筒６の高さによって調節でき、金属膜１１の表面積は支持板１２の表面積と中央支持円筒の高さによって燃料改質器の水素発生容量を自由に設定及び変更することができる。
【００２７】
前記金属膜１１を支持する支持板１２及び中央支持円盤１５は金属膜１１と拡散溶接で連結され、このため、水素ガス分離セル４の内部と外部との間には隙間が全然なくなり、改質ガス、特に燃料電池スタック（stack）に被毒物質である一酸化炭素の濃度が非常に低いので、燃料電池スタック性能をより長く維持することができる。
【００２８】
前述したように、前記水素ガス分離セル４の支持板１２の縁部に形成された少なくとも一つ以上の燃料通過用チャネル１３は、それぞれの水素ガス分離セル４を中央支持円筒６に連結するとき、図３に示すように、ジグザグ状に位置するようにすることにより、燃料と水蒸気改質触媒３の接触効率、及び改質ガスと金属膜１１の接触効率を高めることが好ましい。
【００２９】
以下、図５及び図６に基づいて単位モジュール１の内部での各流体の流動及び反応過程を説明する。図面において、実線矢印は燃料流路１９であり、点線矢印はパーミエート流路１８であり、一点鎖線矢印はラフィネート流路２０である。
【００３０】
外部に設置された燃料予熱器（図示せず）により予め気化されたメタノール、エタノールなどのアルコールなどの燃料が前記水素分離反応室７の上部に設けられた燃料流入口１７から水素分離反応室７に流入され、このように流入された燃料は燃焼触媒室９から供給される燃焼熱により、水素分離反応室７で、所望の温度である１５０〜６００℃まで加熱される。
【００３１】
前記のように加熱された燃料は水素ガス分離セル４の支持板１２の縁部に設けられた燃料通過用チャネル１３を通して下端のガス分離セル４に流れながら、水素ガス分離セル４間に充填された水蒸気改質触媒３と接触することになる。前記触媒と接触した燃料は、下記反応式１のように、改質反応により、水素、二酸化炭素、少量の一酸化炭素及び余分の水からなった改質ガスに転換される。
【００３２】
［反応式１］
ＣＨ３ＯＨ ＋ Ｈ２Ｏ → ＣＯ２＋３Ｈ２     ΔＨ２９８＝１３０．９９ＫＪ このような改質ガスは水素ガス分離セル４の支持板１２の上面と下面にそれぞれ拡散溶接されている金属膜１１、１１ａと接触し、前記改質ガスのうち水素のみが選択的に透過され、中央支持円盤１５の側面と中央に形成されたパーミエート通路用孔１６を通してパーミエート出口２５に排出される。また、前記水素ガス分離セル４を透過し得なかった改質ガスであるラフィネートは水素分離反応室７の下端に壁面に沿って設けられた多数のホール、つまりラフィネート出口２６を通して排出され、導管２９を経て燃焼燃料／空気流入口２１を通して燃焼触媒室９に流入される。
【００３３】
一方、前記反応式１のような水蒸気改質反応は多量の熱を必要とする吸熱反応であり、これに必要な熱は燃焼触媒室９で発生する燃焼熱との熱交換により提供されることが好ましい。このような熱交換方法は水素分離反応室７に供給される燃料の流動と燃焼触媒室９に供給される燃焼燃料の流動が同一又は反対方向にする方法を取り得るが、より効果的な熱交換による熱効率向上のためには後者の方法を選択することがより好ましい。すなわち、前記水素分離反応室７から水素ガス分離セル４を透過し得なくてラフィネート出口２６を通して水素分離反応室７を出るラフィネートには、水素分離反応室７の運転条件によって１〜７０％程度の水素が含有されているため、前記ラフィネートを燃焼触媒室９の燃料として使用すると別の燃焼燃料を供給する必要がなくなるので、全体燃料改質器のエネルギー効率を遥かに向上させることができる。
【００３４】
前述した単位モジュール１は多数が直列、並列又は直列及び並列の混合方式で連結されて燃料改質器３０をなし、このような燃料改質器３０は下記のように燃料改質システムを構成する。
【００３５】
以下、図７に基づいて本発明による燃料改質器３０を採用した燃料改質システムの作動を説明する。
【００３６】
本発明による燃料改質システムは、メタノールなどの液体燃料を気化させる燃料予熱器２２と、前記単位モジュール１が直列、並列又は直列及び並列の混合方式で連結された燃料改質器３０と、パーミエートの圧力を調節する圧力調節装置２４と、水素分離反応室７の圧力を調節するラフィネート圧力調節器２３と、燃料を前記各単位モジュールに供給する燃料供給ヘッダー２８と、前記各単位モジュールで生成されるパーミエートを集めるパーミエートヘッダー２７と、前記燃焼触媒室９に燃料を供給する流路転換バルブ２とから構成される。
【００３７】
このような構成により、メタノールなどの燃料は燃料噴射器又は熱交換器で構成された前記燃料予熱器２２により気化されて燃料供給ヘッダー２８に送れた後、燃料改質器３０の各単位モジュール１に設けられた燃料流入口１７を通して水素分離反応室７に流入され、改質及び水素分離反応を同一反応器内で同時に経ることになる。
【００３８】
これにより発生したパーミエートは再びパーミエートヘッダー２７に集まった後、燃料電池スタックの陰極に供給される。この際に、燃料電池スタックの運転圧力によって、必要時にパーミエートの圧力を調節するため、圧縮機又は圧力調節バルブなどでなった圧力調節装置２４がパーミエートヘッダー２７上に設けられる。
【００３９】
また、前記水素分離反応室７の圧力はラフィネート圧力調節器２３により調節され、前記ラフィネートは圧力調節器２３を通過した後、常圧に落ち、このような常圧のラフィネートは流路転換バルブ２に送られる。前記ラフィネートは流路転換バルブ２から必要に応じて燃焼触媒室９に送られて燃焼触媒室９の燃料として活用でき、これにより燃料改質器のエネルギー効率が大きく向上される。
【００４０】
また、前記燃料予熱器２２として熱交換器を使用する場合、供給される熱は燃焼触媒室９から排出される燃焼ガスとの熱交換により受けることでエネルギー効率を高めることが好ましい。
【００４１】
また、前述したように、本発明による燃料改質器３０は、燃料電池スタックに必要な水素量によって、各単位モジュール１を直列、並列又は直列及び並列の混合方式で単純に連結して水素生産量を調節し得る構造を持っているので、量産しやすい構造を有する。
【００４２】
本発明による燃料改質器は燃料電池自動車に適した水素発生及び供給装置に相当するが、これに制限されなく、水素発生及び水素を含む混合ガスでの水素精製、特に高純度の水素の生産を必要とする装置など、多様な分野に応用できる。
【００４３】
特に、水素のみを選択的に分離する特性を有するパラジウム金属膜を活用して、ＳＰＥＦＣの陰極に供給される水素燃料のＣＯ濃度を著しく減らすことにより、ＣＯによるＳＰＥＦＣの陰極の被毒現象を減らすことができるとともに、それぞれの単位モジュールで適正容量で水素を生産することができ、このような個々の単位モジュールを直列、並列又は直列及び並列の混合方式で単純に連結して、燃料電磁自動車に必要な多様な容量の水素を供給し得るように量産しやすい構造を有する。
【００４４】
このような本発明による金属薄膜を用いる燃料電池自動車用小型燃料改質器を燃料電池自動車に適用すると、水蒸気改質反応のような水素生成反応と水素分離反応が同一反応器内で進行されるので、水素分離反応装置を別に設置しなくても燃料電池の陰極の燃料として最適である一酸化炭素の濃度が著しく低い高純度水素を供給して、一酸化炭素による陰極の被毒現象を減らすことができるとともに、燃料改質器の大きさを著しく減らして自動車への搭載を著しく容易にするだけでなく、一定の水素生産容量を有する単位モジュール形式で製作して、燃料電池自動車に要求される多様な水素量を単純なモジュールの組立のみで供給することができるので、量産に必須的な組立生産性を効率的に向上させることができる。
【００４５】
以上本発明の好ましい実施例を例示の目的で説明したが、当業者であれば添付した特許請求の範囲に提示する本発明の範囲及び精神から逸脱しないで多様な変形例、付加例及び代替例が可能であることが理解できる。
【図面の簡単な説明】
本発明の前記及びその他の目的、特徴及び利点は添付図面を参照する以後の詳細な説明から当業者に明らかに理解できるであろう。
図１は従来の燃料改質システムにより水蒸気改質反応と水素分離反応が別に進行されることを概略的に示すブロック図である。
図２は本発明による燃料改質器により水蒸気改質反応と水素分離反応が同一反応器内で進行されることを概略的に示すブロック図である。
図３は本発明による燃料改質器の単位モジュールの構造を示す概略図である。
図４は本発明による、水素を含む改質ガスから水素のみを選択的に透過させる水素ガス分離セルの構造を示す概略図である。
図５及び図６は本発明による燃料改質単位モジュール内での水蒸気改質用燃料、水素ガス分離セルを透過した水素であるパーミエート及び水素ガス分離セルを透過し得なかった水素であるラフィネートなどの流路を示す概略図である。
【図１】
0004557428.tif 000002
【図２】
0004557428.tif 000003
【図３】
0004557428.tif 000004
【図４】
0004557428.tif 000005
【図５】
0004557428.tif 000006
【図６】
0004557428.tif 000007
【図７】
0004557428.tif 000008